(57)【特許請求の範囲】
【請求項１】
カメラ本体部と、該カメラ本体部に対して分離可能なアダプター部と、上記カメラ本体部に取付けられた把手とを備えた分離型ビデオカメラにおいて、
上記把手は、アダプター部から離間する方向にスライド移動可能にカメラ本体部に取付けられていることを特徴とする分離型ビデオカメラ。
【請求項２】
請求項１において、
上記把手は、アダプター部側の端部に、該端部をカメラ本体部にネジ止めする固定用のネジと、上記カメラ本体部に設けたロックピンに係合するロック機構とを有していることを特徴とする分離型ビデオカメラ。
【請求項３】
カメラ本体部と、該カメラ本体部に対して分離可能なアダプター部と、上記カメラ本体部に取付けられた把手とを備え、該把手がアダプター部から離間する方向に移動可能にカメラ本体部に取付けられている分離型ビデオカメラにおいて、
上記把手は、アダプター部側の端部に、該端部をカメラ本体部にネジ止めする固定用のネジと、上記カメラ本体部に設けたロックピンに係合するロック機構とを有し、
上記ロック機構は、上記把手のアダプター部側端部の下側に設けられたロック機構組付部にスライド可能に組付けられたロックレバーと、該ロックレバーを一方向に付勢するスプリングとを有し、
上記ロックレバーは、プッシュ部と、上記固定用のネジを螺合しているボス部を導入する第１の切欠部と、上記ロックピンの頭部を導入する切欠部のアダプター部側に傾斜面を有する第２の切欠部とを有する
ことを特徴とする分離型ビデオカメラ。
【請求項４】
カメラ本体部と、該カメラ本体部に対して分離可能なアダプター部と、上記カメラ本体部に取付けられた把手とを備え、該把手がアダプター部から離間する方向に移動可能にカメラ本体部に取付けられている分離型ビデオカメラにおいて、
上記把手は、アダプター部側の端部に、カメラ本体部とアダプター部を連結している連結用のネジの上部を覆うネジカバー部を有していることを特徴とする分離型ビデオカメラ。
【請求項５】
請求項１又は２又は３において、
上記把手は、アダプター部側の端部に、カメラ本体部とアダプター部を連結している連結用のネジの上部を覆うネジカバー部を有していることを特徴とする分離型ビデオカメラ。
【請求項６】
請求項４又は５において、
上記ネジカバー部は、カメラ本体部とアダプター部を連結している連結用のネジの締付けが不完全で、上記ネジの頭部が浮き上がっている場合に、上記頭部に当接して、把手のアダプター部側の端部をカメラ本体部の上面から浮き上がらせるネジ接触部を有していることを特徴とする分離型ビデオカメラ。
【発明の詳細な説明】
【０００１】
【産業上の利用分野】
本発明は把手を有し、該把手を使用して持ち運びが出来るようにした分離型ビデオカメラに関する。
【０００２】
【従来の技術】
把手を有する分離型ビデオカメラとして、図１１〜図１２に示したものが知られている。
【０００３】
上記分離型ビデオカメラ１０１は、カメラ本体部１０２と、該カメラ本体部１０２に対して分離可能なアダプター部１０３と、上記カメラ本体部１０２に取付けられた把手１０４とを有している。
【０００４】
上記カメラ本体部１０２に対して、アダプター部１０３は、上下方向に移動させることにより着脱されるようになっている。
【０００５】
上記アダプター部１０３は、コネクタ１０５を有している。
【０００６】
上記コネクタ１０５は、カメラ本体部１０２の上方から該カメラ本体部１０２に設けたコネクタ挿入部１０６に挿入されるようになっている。
【０００７】
そして、上記コネクタ１０５をコネクタ挿入部１０６に挿入した状態で上記アダプター部１０３に設けた連結用のネジ１０７をカメラ本体部１０２のネジ孔１０８に螺合することにより、カメラ本体部１０２とアダプター部１０３を連結するようになっている。
【０００８】
一方、上記把手１０４は、上記連結用のネジ１０７を覆うようにして、一端部１０４ａが固定用のネジ１０９によりアダプター部１０３の近傍に止着され、他端部１０４ｂが固定用のネジ１１０により、カメラ本体部１０２に止着されている。
【０００９】
【発明が解決しようとする課題】
ところで、上記従来の分離型ビデオカメラには次に述べるような問題点があった。
【００１０】
（１）アダプター部１０３を着脱する際に、把手１０４の一端部１０４ａ側が着脱作業の邪魔になる。
【００１１】
（２）上記アダプター部１０３の着脱作業の邪魔にならないようにするためには、把手１０４を取外してからアダプター部１０３の着脱作業を行えば良い。しかし、アダプター部１０３を取外してしまうと紛失の虞れがあり、また把手１０４に操作スイッチ、タリーランプ等の機能をもたせた場合に、配線方法をホットシュー等にして信頼性を高める必要があり、コスト高になる。
【００１２】
本発明は、把手をカメラ本体部から取外さないで、把手の一端部をアダプター部、特にアダプター部とカメラ本体部とを連結している連結用のネジから離すことができるようにして、アダプター部の着脱作業を容易かつ確実に行うことができるようにしたものである。
【００１３】
【課題を解決するための手段】
請求項１の発明は、カメラ本体部と、該カメラ本体部に対して分離可能なアダプター部と、上記カメラ本体部に取付けられた把手とを備えた分離型ビデオカメラにおいて、
上記把手を、アダプター部から離間する方向にスライド移動可能にカメラ本体部に取付けた。
【００１４】
請求項２の発明は、請求項１の分離型ビデオカメラにおいて、
把手のアダプター部側の端部に、該端部をカメラ本体部にネジ止めする固定用のネジと、上記カメラ本体部に設けたロックピンに係合するロック機構とを設けた。
【００１５】
請求項３の発明は、カメラ本体部と、該カメラ本体部に対して分離可能なアダプター部と、上記カメラ本体部に取付けられた把手とを備え、該把手がアダプター部から離間する方向に移動可能にカメラ本体部に取付けられている分離型ビデオカメラにおいて、
把手のアダプター部側の端部に、該端部をカメラ本体部にネジ止めする固定用のネジと、上記カメラ本体部に設けたロックピンに係合するロック機構とを設け、
ロック機構は、把手のアダプター部側端部の下側に設けられたロック機構組付部にスライド可能に組付けられたロックレバーと、該ロックレバーを一方向に付勢するスプリングとを有し、
ロックレバーは、プッシュ部と、上記固定用のネジを螺合しているボス部を導入する第１の切欠部と、上記ロックピンの頭部を導入する切欠部のアダプター部側に傾斜面を有する第２の切欠部とを有するようにした。
【００１６】
請求項４の発明は、カメラ本体部と、該カメラ本体部に対して分離可能なアダプター部と、上記カメラ本体部に取付けられた把手とを備え、該把手がアダプター部から離間する方向に移動可能にカメラ本体部に取付けられている分離型ビデオカメラにおいて、
把手のアダプター部側の端部に、カメラ本体部とアダプター部を連結している連結用のネジの上部を覆うネジカバー部を設けた。
【００１７】
請求項５の発明は、請求項１又は２又は３の分離型ビデオカメラにおいて、
把手のアダプター部側の端部に、カメラ本体部とアダプター部を連結している連結用のネジの上部を覆うネジカバー部を設けた。
【００１８】
請求項６の発明は、請求項４又は５の分離型ビデオカメラにおいて、
ネジカバー部に、カメラ本体部とアダプター部を連結している連結用のネジの締付けが不完全で、上記ネジの頭部が浮き上がっている場合に、該頭部に当接して、把手のアダプター部側の端部をカメラ本体部の上面から浮き上がらせるネジ接触部を設けた。
【００１９】
【作用】
請求項１の分離型ビデオカメラにあっては、カメラ本体部から把手を取外さず
にスライド移動させることにより、上記把手の一端部をアダプター部から離間させることができる。
【００２０】
請求項２の分離型ビデオカメラにあっては、把手の一端部は、固定用のネジと
ロック機構の双方によりカメラ本体部に係止される。
【００２１】
請求項３の分離型ビデオカメラにあっては、把手をアダプター部方向に移動させると、ロックレバーの傾斜面がロックピンの頭部に当接して、ロックレバーはスプリングのばね力に抗してスライドし、ロックピンの頭部が傾斜面を通過すると、ロックレバーはスプリングのばね力でスライドしロックピンの頭部の下面に係合し、把手のアダプター部側の端部はカメラ本体部にロックされる。また、ロックレバーを指先等でばね力に抗して押圧すれば、ロックレバーはスライドしてロックが解除される。
【００２２】
請求項４の分離型ビデオカメラにあっては、把手に設けたネジカバー部でカメ
ラ本体部とアダプター部を連結している連結用のネジを隠蔽、保護する。
【００２３】
請求項５の分離型ビデオカメラにあっては、把手に設けたネジカバー部でカメラ本体部とアダプター部を連結している連結用のネジを隠蔽、保護する。
【００２４】
請求項６の分離型ビデオカメラにあっては、カメラ本体部とアダプター部を連結している連結用のネジの締付けが不完全の場合には、上記連結用のネジの頭部に、上記カバー部に設けたネジ接触部が接触して、上記把手の一端部をカメラ本体部の上面から浮き上がらせる。
【００２５】
【実施例】
次に本発明の分離型ビデオカメラを図１〜図１０を参照して説明する。
【００２６】
図１〜図７は、第１実施例を示す。
【００２７】
図１において、１は分離型ビデオカメラである。
【００２８】
上記分離型ビデオカメラ１は、カメラ本体部２と、該カメラ本体部２に対して分離可能なアダプター部３と、上記カメラ本体部２に取付けられた把手４を有している。
【００２９】
上記把手４は、アダプター部３側の端部４ａがアダプター部３から離間する方向（矢印Ａ方向）に回動可能にカメラ本体部２に枢支されている。
【００３０】
図２に示したように、上記アダプター部３は、カメラ本体部２との接合面３ａ側の上部にコネクタホルダ５と連結アーム６が設けられていて、上記コネクタホルダ５の下面にはコネクタ７が取付けられているとともに、上記連結アーム６には連結用のネジ８が取付けられている。
【００３１】
上記コネクタ６は、カメラ本体部２の上方から、該カメラ本体部２の上面側に設けたコネクタ挿入部９に挿入されるようになっている。
【００３２】
そして、上記コネクタ６をコネクタ挿入部に挿入した状態で、上記連結アーム６に取付けられている連結用のネジ８をカメラ本体部２の上面に設けたネジ孔１０に螺合することにより、カメラ本体部２とアダプター部３は連結されるようになっている。
【００３３】
次に、把手４について説明する。
【００３４】
把手４は、一端部４ｂ側が軸１１によりカメラ本体部２に回動可能に取付けられている。
【００３５】
上記把手４の一端部４ｂ側には、ビューファインダー１２が取付けられている。
【００３６】
上記ビューファインダー１２の重量により、上記把手４は、軸１１を中心にして矢印Ａ方向に回動して、アダプター部３側の端部４ａが跳ね上げられて、該端部４ａがアダプター部３から離間する。
【００３７】
上記把手４のアダプター部３側の端部４ａには、該端部４ａをカメラ本体部２にネジ止めする固定用のネジ１３と、上記カメラ本体部２に設けたロックピン１４に係合するロック機構１５が設けられていて、これら固定用のネジ１３とロック機構１５の双方によって、把手４の端部４ａは、確実によってカメラ本体部２に止着されるようになっている。
【００３８】
図３に示したように上記ロック機構１５は、上記把手４の一端部４ａ側の下面に設けたロック機構組付部１６に組付けられている。
【００３９】
上記ロック機構１５は、上記ロック機構組付部１６にスライド可能に組付けられたロックレバー２１と、該ロックレバー２１を一方向に付勢している一対のコイルスプリング２２，２３と、上記ロックレバー２１およびコイルスプリング２２，２３を支持している底面板２４とからなっている。
【００４０】
図４に示したように、上記ロックレバー２１は、プッシュ部２１ａと、上記固定用のネジ１３を螺合しているボス部２５を導入する第１の切欠部２１ｂと、上記ロックピン１４の頭部１４ａを導入する第２の切欠部２１ｃを有している。
【００４１】
上記第２の切欠部２１ｃの一端部は、傾斜面２１ｄになっている。
【００４２】
上記ロックレバー２１は、上記第１の切欠部２１ｂ内に、上記ボス部２５を導入することにより、該ボス部２５と上記第１の切欠部２１ｂの内周面との間に存在する隙間、所謂遊び間隙の範囲内で図３の矢印Ｃ−Ｄ方向へスライド可能になっている。
【００４３】
上記ロックレバー２１は、上記コイルスプリング２２，２３のばね力により矢印Ｃ方向に付勢されていて、上記第１の切欠部２１ｂの一端部２１ｅが上記ボス部２５に当接するまでスライドし、上記プッシュ部２１ａが上記ロック機構組付部１６の周面に設けた切欠部１６ａから突出するようになっている。
【００４４】
上記プッシュ部２１ａを押圧すると、上記第１の切欠部２１ｂの他端部２１ｆが上記ボス部２５に当接するまで矢印Ｄ方向にスライドするようになっている。
【００４５】
そして、図５に示したように、把手４を軸１１を中心にして矢印Ｂ方向に回動させると、上記ロックレバー２１の第２の切欠部２１ｃの一側部に設けた傾斜面２１ｄが、ロックピン１４の頭部１４ａに当接し、上記傾斜面２１ｄで押されて、上記ロックレバー２１はコイルスプリング２２，２３のばね力に抗して矢印Ｄ方向にスライドする。
【００４６】
上記ロックレバー２１が矢印Ｄ方向にスライドして、上記ロックピン１４の頭部１４ａが上記傾斜面２１ｄを通過すると、該傾斜面２１ｄによる押圧を解除されたロックレバー２１は、コイルスプリング２２，２３のばね力で矢印Ｃ方向にスライドする。
【００４７】
従って、図６に示したように、上記ロックレバー２１の傾斜面２１ｄの上部は、上記ロックピン１４の頭部１４ａの下面に係合して、把手４のアダプター部３側の端部４ａは、カメラ本体部２にロックされた状態になる。
【００４８】
また、図７に示したように、ロックレバー２１のプッシュ部２１ａを指先等で押圧すれば、上記ロックレバー２１は矢印Ｄ方向にスライドして、ロックピン１４との係合が解除される。
【００４９】
図７において、３１は上記把手４のアダプター部３側の端部４ａに設けられたネジカバー部であり、該ネジカバー部３１は、上記連結用のネジ８の上部を覆うようになっている。
【００５０】
上記ネジカバー部３１は、その下面にネジ接触部（ボス部）３２を有している。
【００５１】
上記ネジ接触部３２は、上記カメラ本体部２とアダプター部３を連結している連結用のネジ８の締付けが不完全で、上記連結用のネジ８の頭部８ａが浮き上がっている場合には、上記頭部８ａに接触して、上記把手４のアダプター部３側の端部４ａをカメラ本体部２の上面から浮き上がらせた状態にして、上記ロック機構１５が作動しないようにするとともに、上記連結用のネジ８が完全に締付けられている場合には、上記連結用のネジ８の頭部８ａと非接触状態になり、上記ロック機構１５を有効に機能させるようになっている。なお、固定用のネジ１３を螺合するボス部２５の外周には、緩衝用のゴムブッシュ２６が取り付けられている。また、底面板２４にも、ロックレバー２１と同様の第１，第２の切欠部が設けられている。
【００５２】
第１実施例の分離型ビデオカメラ１は上述のような構成である。
【００５３】
従って、上記連結用のネジ８が完全に締付けられて、カメラ本体部２とアダプター部３の連結が確実に行われた状態で、把手４を矢印Ｂ方向に回動させると、上記ロック機能１５が機能してロックレバー２１ａがロックピン１４に係合して、把手４のアダプター部３側の端部４ａを自動的にカメラ本体部２に係止する。
【００５４】
次に、上記固定用のネジ１３を、カメラ本体部２に設けたネジ孔１０に螺合すれば、上記ロック機構１５と、固定用のネジ１３によって、把手４の端部４ａは、カメラ本体部２に二重に係止された状態になるのである。
【００５５】
また、上記連結用のネジ８の締付けが不完全で、連結用のネジ８の頭部８ａが浮き上がった状態になっている場合には、上述したようにロック機構１５が機能せず、従って、これによって連結用のネジ８の締付けが不完全であることが示唆されるのである。
【００５６】
図８〜図１０は、第２実施例を示す。
【００５７】
この実施例は、把手４をスライドさせることにより、該把手４のアダプター部３側の端部４ａをアダプター部３から離間させるようになっている。
【００５８】
上記把手４の下面にはアリ溝４１が設けられているとともにカメラ本体部２の上面にはアリ４２が設けられている。
【００５９】
そして、上記アリ溝４１にアリ４２を嵌合することにより、上記把手４は、カメラ本体部２上にスライド可能に取付けられているとともに、カメラ本体部２上に設けた第１，第２のストッパーピン４３，４４によってスライド量が規制されている。
【００６０】
そして、上記把手４を第１のストッパーピン４３に当接するまでスライドさせると、図１０に示したようにカメラ本体部２とアダプター部３を連結している連結用のネジ８が露出するようになっている。
【００６１】
従って、従来のように把手４を取外さなくても、把手４をスライドさせるという簡単な操作で、カメラ本体部２とアダプター部３の連結や分離が可能となるのである。なお、第１実施例と同一部分には同一符号を付して重複する説明を省略する。
【００６２】
【発明の効果】
本発明の分離型ビデオカメラには次に述べるような効果がある。
【００６３】
（１）請求項１の分離型ビデオカメラは、従来のように把手をカメラ本体部から
取外さなくても、カメラ本体部とアダプター部の連結や分離を行うことができる。
従って、把手を粉失する虞れがなく、また把手に操作スイッチやタリーランプ等
の機能をもたせた場合でも配線が容易になる。また、アリ溝やアリ、或は直動軸受等を利用することにより簡単な構成で、確実に把手をスライドさせることができる。
【００６４】
（２）請求項２の分離型ビデオカメラは、固定用のネジとロック機構の両方で把手のアダプター側の端部をより確実にカメラ本体部に係止することができる。
【００６５】
（３）請求項３の分離型ビデオカメラは、把手をアダプター部方向に移動させると、ロックレバーの傾斜面がロックピンの頭部に当接して、ロックレバーはスプリングのばね力に抗してスライドし、ロックピンの頭部が傾斜面を通過すると、ロックレバーはスプリングのばね力でスライドしロックピンの頭部の下面に係合し、把手のアダプター部側の端部をカメラ本体部にロックできる。また、ロックレバーを指先等でばね力に抗して押圧すれば、ロックレバーがスライドしてロックを解除できる。
【００６６】
（４）請求項４の分離型ビデオカメラは、カメラ本体部とアダプター部を連結している連結用のネジに上部を覆うネジカバー部を設けたので、上記連結用のネジを隠蔽、保護することができる。
【００６７】
（５）請求項５の分離型ビデオカメラは、カメラ本体部とアダプター部を連結している連結用のネジの上部を覆うネジカバー部を設けたので、上記連結用のネジを隠蔽、保護することができる。
【００６８】
（６）請求項６の分離型ビデオカメラは、ネジカバー部に設けたネジ接触部によって、連結用のネジの締付けが不完全か否かを判別することが容易にでき、連結用のネジの締め付けが不完全のままで使用されるのを防止することができる。
【図面の簡単な説明】
【図１】第１実施例の側面図。
【図２】第１実施例の側面図。
【図３】ロック機構の底面図。
【図４】ロックレバーの底面図。
【図５】要部の断面図。
【図６】要部の断面図。
【図７】要部の断面図。
【図８】第２実施例の側面図。
【図９】第２実施例の断面図。
【図１０】第２実施例の側面図。
【図１１】従来例の側面図。
【図１２】従来例の正面図。
【符号の説明】
１…分離型ビデオカメラ
２…カメラ本体部
３…アダプター部
４…把手
８…連結ネジ
１０…ネジ孔
１１…軸
１３…固定ネジ
１４…ロックピン
１５…ロック機構
３１…ネジカバー部
３２…ネジ接触部
【図１】
0003543401.tif 000002
【図２】
0003543401.tif 000003
【図３】
0003543401.tif 000004
【図４】
0003543401.tif 000005
【図５】
0003543401.tif 000006
【図６】
0003543401.tif 000007
【図７】
0003543401.tif 000008
【図８】
0003543401.tif 000009
【図９】
0003543401.tif 000010
【図１０】
0003543401.tif 000011
【図１１】
0003543401.tif 000012
【図１２】
0003543401.tif 000013